【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
サーバとクライアントコンピュータとを含む情報処理システムであって、
前記サーバは、
フォーム情報とフィールドデータとを用いてオーバレイ出力処理を行うことにより得られるＰＤＬ情報に基づいて、帳票ページを生成する帳票生成手段と、
前記オーバレイ出力処理を行う際に、前記生成される帳票ページに含まれるフィールドのレイアウトに関する属性情報を取得する属性取得手段と、
前記生成される帳票ページと、前記取得される属性情報とに基づいて、前記生成される帳票ページをウェブブラウザ上で表示及び編集するための閲覧画面を表示させ且つ前記属性情報を用いて前記表示される帳票ページを編集するための制御プログラムを含む画面データを生成する閲覧画面生成手段と、
を備え、
前記クライアントコンピュータは、前記制御プログラムを実行することにより、
ウェブブラウザ上で表示した前記閲覧画面において前記帳票ページのフィールドの値がユーザにより編集された場合、前記画面データに含まれる前記属性情報と前記編集されたフィールドの値とに基づいて、前記サーバの前記帳票生成手段にて再度オーバレイ出力処理を行う必要があるか否かを判断する判断手段と、
前記判断手段で再度オーバレイ出力処理を行う必要があると判断した場合、前記帳票生成手段が前記フォーム情報と前記編集されたフィールドの値とを用いて再度オーバレイ出力処理を行って帳票ページを再生成するように、前記サーバにリクエストを送信する送信手段と、
前記判断手段で再度オーバレイ出力処理を行う必要がないと判断した場合、前記閲覧画面において表示される前記帳票ページのフィールドを当該編集された値に更新する更新手段と、
して機能する、ことを特徴とする情報処理システム。
【請求項２】
前記レイアウトに関する属性情報は、前記帳票ページのフィールドの文字列のレイアウトに関して複数行の表示を許可するか否かの情報を含み、
前記編集されたフィールドが前記複数行の表示を許可する場合には、前記判断手段は、前記帳票生成手段にて再度オーバレイ出力処理を行う必要があると判断する、ことを特徴とする請求項１に記載の情報処理システム。
【請求項３】
前記フィールドの文字列が変更された際に、該フィールドが前記複数行の表示を許可する場合であっても、等幅フォントを使用し、かつ、変更された文字列の文字幅に文字数を乗じて得られる値が所定の値よりも小さい場合には、前記判断手段は、前記帳票生成手段にて再度オーバレイ出力処理を行う必要がないと判断する、ことを特徴とする請求項２に記載の情報処理システム。
【請求項４】
前記フィールドの文字列が変更された際に、該フィールドが前記複数行の表示を許可しない場合には、前記判断手段は、前記帳票生成手段にて再度オーバレイ出力処理を行う必要がないと判断する、ことを特徴とする請求項２または３に記載の情報処理システム。
【請求項５】
前記レイアウトに関する属性情報は、前記帳票ページのフィールドの値が同じ場合に、該値が同じフィールドの表示を省略するか否かの情報を含み、
前記値が同じフィールドの表示を省略する場合に、該値が同じフィールドのうち少なくとも１つの値が変更された際には、前記判断手段は、前記帳票生成手段にて再度オーバレイ出力処理を行う必要があると判断する、ことを特徴とする請求項１ないし４のいずれか１項に記載の情報処理システム。
【請求項６】
前記帳票ページは、ＳＶＧ形式の帳票ページである、
ことを特徴とする請求項１ないし５のいずれか１項に記載の情報処理システム。
【請求項７】
帳票のフォーム情報とフィールドデータとを用いてオーバレイ出力処理を行うことにより得られるＰＤＬ情報に基づいて、帳票ページを生成する帳票生成手段と、
前記オーバレイ出力処理を行う際に、前記生成される帳票ページに含まれるフィールドのレイアウトに関する属性情報を取得する属性取得手段と、
前記生成される帳票ページと、前記取得される属性情報とに基づいて、前記生成される帳票ページをウェブブラウザ上で表示及び編集するための閲覧画面を表示させ且つ前記属性情報を用いて前記表示される帳票ページを編集するための制御プログラムを含む画面データを生成する閲覧画面生成手段と、
前記生成された画面データをクライアントコンピュータに送信する送信手段と、
を備えるサーバであって、
前記クライアントコンピュータは、前記サーバから前記画面データを受信し、前記画面データに含まれる制御プログラムを実行することにより、ウェブブラウザ上で表示した前記閲覧画面において前記帳票ページのフィールドの値がユーザにより編集された場合、前記画面データに含まれる前記属性情報と前記編集されたフィールドの値とに基づいて、前記サーバの前記帳票生成手段にて再度オーバレイ出力処理を行う必要があるか否かを判断し、前記判断において再度オーバレイ出力処理を行う必要があると判断した場合、前記帳票生成手段が前記フォーム情報と前記編集されたフィールドの値とを用いて再度オーバレイ出力処理を行って帳票ページを再生成するように、前記サーバにリクエストを送信する一方、前記判断において再度オーバレイ出力処理を行う必要がないと判断した場合、前記閲覧画面において表示される前記帳票ページのフィールドを当該編集された値に更新する、
ことを特徴とするサーバ。
【請求項８】
サーバとクライアントコンピュータとを含む情報処理システムにおいて実行される制御方法であって、
前記サーバでは、
フォーム情報とフィールドデータとを用いてオーバレイ出力処理を行うことにより得られるＰＤＬ情報に基づいて、帳票ページを生成する帳票生成工程と、
前記オーバレイ出力処理を行う際に、前記生成される帳票ページに含まれるフィールドのレイアウトに関する属性情報を取得する属性取得工程と、
前記生成される帳票ページと、前記取得される属性情報とに基づいて、前記生成される帳票ページをウェブブラウザ上で表示及び編集するための閲覧画面を表示させ且つ前記属性情報を用いて前記表示される帳票ページを編集するための制御プログラムを含む画面データを生成する閲覧画面生成工程と、
を実行し、
前記クライアントコンピュータは、前記制御プログラムを実行することにより、
ウェブブラウザ上で表示した前記閲覧画面において前記帳票ページのフィールドの値がユーザにより編集された場合、前記画面データに含まれる前記属性情報と前記編集されたフィールドの値とに基づいて、前記サーバの前記帳票生成工程にて再度オーバレイ出力処理を行う必要があるか否かを判断する判断工程と、
前記判断工程で再度オーバレイ出力処理を行う必要があると判断した場合、前記帳票生成工程にて、前記フォーム情報と前記編集されたフィールドの値とを用いて再度オーバレイ出力処理を行って帳票ページを再生成するように、前記サーバにリクエストを送信する送信工程と、
前記判断工程で再度オーバレイ出力処理を行う必要がないと判断した場合、前記閲覧画面において表示される前記帳票ページのフィールドを当該編集された値に更新する更新工程と、
を有することを特徴とする情報処理システムの制御方法。
【請求項９】
請求項１ないし７のいずれか１項に記載の情報処理システムが備える各手段として、コンピュータを機能させるためのプログラム。
【請求項１０】
請求項１ないし７のいずれか１項に記載の情報処理システムの前記サーバが備える各手段として、コンピュータを機能させるためのプログラム。
【手続補正２】
【補正対象書類名】明細書
【補正対象項目名】発明の名称
【補正方法】変更
【補正の内容】
【発明の名称】情報処理システム、サーバ、制御方法、及びコンピュータプログラム
【手続補正３】
【補正対象書類名】明細書
【補正対象項目名】０００８
【補正方法】変更
【補正の内容】
【０００８】
本発明の一実施形態の情報処理システムは、サーバとクライアントコンピュータとを含む情報処理システムであって、前記サーバは、フォーム情報とフィールドデータとを用いてオーバレイ出力処理を行うことにより得られるＰＤＬ情報に基づいて、帳票ページを生成する帳票生成手段と、前記オーバレイ出力処理を行う際に、前記生成される帳票ページに含まれるフィールドのレイアウトに関する属性情報を取得する属性取得手段と、前記生成される帳票ページと、前記取得される属性情報とに基づいて、前記生成される帳票ページをウェブブラウザ上で表示及び編集するための閲覧画面を表示させ且つ前記属性情報を用いて前記表示される帳票ページを編集するための制御プログラムを含む画面データを生成する閲覧画面生成手段と、を備え、前記クライアントコンピュータは、前記制御プログラムを実行することにより、ウェブブラウザ上で表示した前記閲覧画面において前記帳票ページのフィールドの値がユーザにより編集された場合、前記画面データに含まれる前記属性情報と前記編集されたフィールドの値とに基づいて、前記サーバの前記帳票生成手段にて再度オーバレイ出力処理を行う必要があるか否かを判断する判断手段と、前記判断手段で再度オーバレイ出力処理を行う必要があると判断した場合、前記帳票生成手段が前記フォーム情報と前記編集されたフィールドの値とを用いて再度オーバレイ出力処理を行って帳票ページを再生成するように、前記サーバにリクエストを送信する送信手段と、前記判断手段で再度オーバレイ出力処理を行う必要がないと判断した場合、前記閲覧画面において表示される前記帳票ページのフィールドを当該編集された値に更新する更新手段と、して機能する。
【手続補正４】
【補正対象書類名】図面
【補正対象項目名】図１９
【補正方法】変更
【補正の内容】
【図１９】
2016162200.tif 000001